(57)【要約】【課題】  身体のウェスト部への食い込みがなく、ウェストテープ（ゴム帯）の跡などが身体に残りにくく、圧迫感も軽減され着用感が良好で、衣類のウェスト部分の厚みを薄くでき、スッキリしたスリムな美しいウェストラインが表現できる身体にフィットする下着類のウェスト部分の縫着構造を提供する。【解決手段】  経糸の方向には伸縮し横糸の方向には伸縮しない織り部分からなる主体部と、該主体部の長手方向に平行する一方の縁に設けた、経糸の方向には伸縮し横糸の方向には伸縮しない織り部分からなる一対の表側・裏側縫代部とにより構成されたウェストテープが、下着本体のウェスト部における身頃生地の端に対して、これら表側縫代部、裏側縫代部の間に身頃生地の端を折り返さずに挟んで縫い付けることにより取り付けられてなることを特徴とする。【選択図】        図２
0003127639.tif 000002
【実用新案登録請求の範囲】
【請求項１】
ウェストテープの主体部における生地の端への縫着側縁部に一対の表側・裏側縫代部が開閉自在の二又状を呈する状態で連設され、これら表側・裏側縫代部の間には下着本体の身頃生地の端が折り返さずに挟んだ状態で縫い付けられたことを特徴とする下着類のウェスト部分の縫着構造。
【請求項２】
前記ウェストテープは、経糸の方向には伸縮し横糸の方向には伸縮しない織り部分からなる主体部と、該主体部の横糸の一端を幅方向に延長して該延長部を横糸として織った、経糸の方向には伸縮し横糸の方向には伸縮しない織り部分からなる一対の表側・裏側縫代部とにより構成されたことを特徴とする請求項１記載の下着類のウェスト部分の縫着構造。
【請求項３】
前記主体部は、太目の伸縮性糸の２本が経糸として用いられ、非伸縮性糸の２本が横糸として用いられた石目織にされ、また前記表側・裏側各縫代部は、上記延長部が表側・裏側各縫代用に分配された状態で１本からなる横糸として用いられ、細目の伸縮性糸の１本が経糸として用いられた平織にされたことを特徴とする請求項２記載の下着類のウェスト部分の縫着構造。
【請求項４】
テープ主体部における縫着側縁部に一対の表側・裏側縫代部が開閉自在の二又状を呈する状態で連設されてなることを特徴とする下着類のウェストテープ。
【考案の詳細な説明】
【技術分野】
【０００１】
本考案は、身体のウェスト部分に締め付け跡が残りにくくした、下着類のウェスト部分の縫着構造に関する。
【背景技術】
【０００２】
従来、肌に直接触れてウェスト部を締め着ける下着類としては、ブリーフ、トランクス、パンティ、ガードル、スパッツ、タイツや、パジャマ、スポーツ用短パン、水着等が知られている。この種の下着１は、通常、図５の裏側から見た要部の斜視図に示すように、下着本体部分２は伸縮性を有する編物生地や織物生地等から構成されており、そのウェスト部分３には、ずり下がりを防止するためにゴム帯（以下、ウェストテープともいう）４が装着されている。
【０００３】
そして、下着本体部分２を構成する生地の端５は、下着１の裏側になるように折り返されてその上にゴム帯４が当てがわれ、例えばスリーステッチ６と称される上下方向にジグザグの縫製が施されて始末されている。このような生地の端始末は、生地の端５が簡単にほつれてしまい、使用に耐えないし、端からほつれた繊維が飛び出して見苦しくなることから行われていた。
【０００４】
しかしながら、上記のような端始末のやり方による場合には、折り返しがあること、ゴムテープ４などが装着されていること、スリーステッチ６の縫い糸による縫い目があることなどから、このゴム帯４付きウェスト部分には段差がある土手状の凸部８ができてしまう。しかもこの土手状凸部８は、衣類がずり下がらないようにする必要から他の部分に比べて伸縮力が強められていて、しっかりと身体に圧着するようにされている。そのため、該土手状凸部８が身体のウェスト部の肉に食い込みことになり、該土手状凸部８の跡いわゆるゴム帯４の跡等が身体に残り、圧迫感があると言う問題があった。その上、該土手状凸部８はスカートやスラックスなどのアウターウェアーの着用によって更に強く締め付けられるので、ゴム帯４の跡が身体の皮膚面上に残る現象及び圧迫感は、尚一層大きくなって着用感が低下するのみならず、衣類を重ね着した場合にはウェスト部分３の厚みが厚くなるので、スッキリしたスリムな美しいウェストラインが出しにくいと言う問題があった。
【０００５】
本考案の課題は、土手状凸部をつくる生地の縁の折り返しを不要にし、よって上記したような諸問題点を解決することにある。
【考案の開示】
【考案が解決しようとする課題】
【０００６】
すなわち、本考案は、生地の縁につくる折り返しの必要性を解消して土手状凸部をでき難く若しくは平滑にして、身体のウェスト部への食い込みを顕著に少なく若しくはできなくし、ゴム帯の跡などが身体皮膚面上に残りにくくし、圧迫感も軽減して着用感を良好にし、スッキリしたスリムな美しいウェストラインを出せるように工夫した、平滑感があって肌ざわりがよく、身体にフィットする下着のウェスト部分の縫着構造を提供することを目的とする。
【課題を解決するための手段】
【０００７】
上記目的を達成するために、本考案に係る下着類のウェスト部分の縫着構造は、ウェストテープ（ゴム帯）の主体部における生地の端への縫着側縁部に一対の表側・裏側縫代部が開閉自在の二又状を呈する状態で設けられ、これら表側・裏側縫代部の間には下着本体の身頃生地の端が折り返さずに挟んだ状態で縫い付けられ、そして上記ウェストテープは、経糸の方向には伸縮し横糸の方向には伸縮しない織り部分からなる主体部と、該主体部の横糸の一端を幅方向に延長して該延長部を横糸として織った、経糸の方向には伸縮し横糸の方向には伸縮しない織り部分からなる一対の表側・裏側縫代部とにより構成されたことを特徴とする
【０００８】
また、上記主体部は、太目の伸縮性糸の２本が経糸として用いられ、非伸縮性糸の２本が横糸として用いられた石目織にされ、また上記表側・裏側各縫代部は、上記延長部が表側・裏側各縫代用に分配された状態で１本からなる横糸として用いられ、細目の伸縮性糸の１本が経糸として用いられた平織にされたことを特徴とする。
【考案の効果】
【０００９】
本考案に係る下着類のウェスト部分の縫着構造によれば、ウェストテープを生地の端に対して縫着するときには、生地の端を折り返す工程を省略することが可能になるので、下着の製造工程の簡易化、製造装置の簡略化、生産工程の時短化及び生産性の向上等を達成することができる利点があるのみならず、このようにウェストテープが生地に対して該生地の端を折り返し部無しの状態に縫着された場合には、少なくとも折り返し縁無しの状態にされた分だけ確実に薄くすることが可能になるので、上記土手状凸部の出っ張り高さを顕著に低くできる。
【００１０】
また、表側・裏側各縫代部は、主体部から該表側・裏側各縫代用として分配された１本の横糸と細目の伸縮性糸からなる１本の経糸との平織により構成するようにしてあるので、石目織の主体部の縁には顕著に薄い平織の表側・裏側各縫代部を一体に連続した状態で備えたウェストテープを能率よく量産できる。
【００１１】
要するに、本考案に係る下着類のウェスト部分の縫着構造によれば、上記したような諸問題の解決を実現可能にすることができ、身体のウェスト部に締め付け跡が残らない若しくは残りにくくした、着用感に優れた下着を提供できる。
【００１２】
また、消費者には、身体のウェスト部への食い込みができない若しくはでき難い商品、具体的にはゴムテープの跡などが身体に残りにくくされ、圧迫感が軽減され、着用感が良好にされ、かつスッキリしたスリムな美しいウェストラインを出せるようにされた、平滑感があって肌ざわりがよい身体にフィットする良品を容易かつ安価に提供でき、充分な満足度を賦与することができる。
【考案を実施するための最良の形態】
【００１３】
以下、本考案を、実施の形態に基づき図面を用いて詳細に説明する。本実施の形態例は、下着類の例として最もオーソドックスな男性用ブリーフをもとに説明しているが、下着類の種類は、これにのみに限定されるものではなく、上記したトランクス、パンティ、ガードル、タイツ、スパッツのほか、パジャマやスポーツ用短パン、水着等であってもよい。
【００１４】
図１はブリーフの一部分を示す斜視図であり、図２は表側から見た、一部を断面で示す要部の拡大斜視図であり、図３は裏側から見た、一部を断面で示す同要部の拡大斜視図であり、図４はウェストテープの織り方を模式図で示す要部の説明図である。
【００１５】
図中１１は織物製の伸縮性ウェストテープ（ゴム帯）であり、１２は伸縮性を有する編物生地製のブリーフ本体である。
【００１６】
上記ウェストテープ１１は、経糸１３a、１３bの方向には伸縮し、横糸１４a、１４bの方向には伸縮しない織り部分からなる主体部１５と、該主体部１５の横糸１４a、１４bの一端を幅方向に延長して該延長部１６a、１６bを横糸として織った、経糸１７a、１７bの方向には伸縮し横糸（延長部１６a、１６b）の方向には伸縮しない織り部分からなる一対の表側・裏側縫代部１８、１９とにより構成され、そして、これら表側縫代部１８、裏側縫代部１９の間には、上記ブリーフ本体生地（身頃生地）の端１２aが折り返さずに挟んで伸縮自在なステッチ縫２０により縫い付けられている。
【００１７】
上記主体部１５は、図４の説明図に示すように、２本からなる太目の経糸１３a、１３bと２本からなる横糸１４a、１４bとを用いて石目織にされた織り部分である。この石目織部分の各経糸１３a、１３bにはストレッチナイロン糸及びライクラ（商品名）糸がライクラソフト（商品名）糸にダブル・カバリングされた太目の糸が伸縮性糸として採用され、また各横糸１４a、１４bにはフィラメントナイロン糸が非伸縮性糸として採用されている。
【００１８】
また、表側・裏側各縫代部１８、１９は、同説明図に示すように、１本からなる細目の経糸１７a、１７bと１本からなる横糸（延長部１６a、１６b）とを用いて平織にされた織り部分である。この平織部分の横糸は上記石目織部分における横糸１４a、１４bの一端を幅方向に延長しかつ該延長部１６a、１６bを表側・裏側各縫代用の一本ずつに分配状態にすることにより設けられ、また経糸１７a、１７bには上記主体部１５の経糸１３a、１３bと同様にストレッチナイロン糸及びライクラ（商品名）糸がライクラソフト（商品名）糸にダブル・カバリングされた細目の糸が伸縮性糸として採用されている。
【００１９】
したがって、下着のウェスト部分の縫着構造において、１本から成る細目の経糸１７a、１７bを用いて平織とした裏側縫代部１９の厚さは、２本から成る太目の経糸１３a、１３bを用いて石目織とした主体部１５の厚さの約半分若しくはそれより薄くする（図２及び３参照）ことが可能になるから、結果として、上記ブリーフ本体生地（身頃生地）の端１２aが折り返さずに挟んで縫い付けられることと相俟って土手状凸部の出っ張り高さは顕著に低くできる。
【産業上の利用可能性】
【００２０】
なお、本考案におけるウェストテープは、下着本体に取り付けない状態の製品すなわち消費者が衣類、その他に適宜取り付けて使用できる状態の製品として提供されたときには、衣類、その他の生地の端に任意に取り付けて用いることが可能であるから、これらも本考案の範疇に含むものとすることができる。
【図面の簡単な説明】
【００２１】
【図１】本考案の実施の形態に係るブリーフの一部分を示す斜視図である。
【図２】同じく、一部を断面で示す、表側から見た要部の拡大斜視図である。
【図３】同じく、一部を断面で示す、裏側から見た同要部の拡大斜視図である。
【図４】同じく、ウェストテープの織り方を模式図で示す要部の説明図である。
【図５】従来例を示す、裏側から見た要部の拡大斜視図である。
【符号の説明】
【００２２】
１−下着
２−下着本体部分
３−ウェスト部分
４−ゴム帯
５−生地の端
６−スリーステッチ
８−土手状凸部
１１−ウェストテープ（ゴム帯）
１２−ブリーフ本体
１２a−生地の端
１３a、１３b−経糸
１４a、１４b−横糸
１５  −主体部
１６a、１６b−延長部
１７a、１７b−経糸
１８−表側縫代部
１９−裏側縫代部
２０−ステッチ縫
【図１】
0003127639.tif 000003
【図２】
0003127639.tif 000004
【図３】
0003127639.tif 000005
【図４】
0003127639.tif 000006
【図５】
0003127639.tif 000007